(57)【要約】      （修正有）【課題】マッサージ効果が良く、快適性が高く、人の背中の緊張した筋肉を和らげ、ｅスポーツマンの競技状態を向上することができるマッサージ機能を有するゲーミングチェアの背もたれを提供する。【解決手段】椅子の背もたれと、マッサージ器２と、を備えるマッサージ機能を有するゲーミングチェアの背もたれであって、椅子の背もたれが、椅子の背もたれのフレーム１１と、椅子の背もたれのフレームの表面に被覆される椅子カバーと、を備え、マッサージ器が椅子の背もたれのフレームに固定接続され、椅子カバーの内部に被覆される。椅子カバーの内部にマッサージ器が設けられており、椅子カバーを介して背中をマッサージすることができる。【選択図】図２
0003232926.tif 000002
【実用新案登録請求の範囲】
【請求項１】
椅子の背もたれと、マッサージ器と、を備えるマッサージ機能を有するゲーミングチェアの背もたれであって、前記椅子の背もたれが、椅子の背もたれのフレームと、椅子の背もたれのフレームの表面に被覆される椅子カバーと、を備え、前記マッサージ器が椅子の背もたれのフレームに固定接続され、椅子カバーの内部に被覆されることを特徴とする、マッサージ機能を有するゲーミングチェアの背もたれ。
【請求項２】
前記マッサージ器が、対応する腰部位置に設けられることを特徴とする、請求項１に記載のマッサージ機能を有するゲーミングチェアの背もたれ。
【請求項３】
前記椅子の背もたれのフレームに、腰部位置に対応して横棒が設けられており、前記マッサージ器が横棒に設けられることを特徴とする、請求項２に記載のマッサージ機能を有するゲーミングチェアの背もたれ。
【請求項４】
前記マッサージ器が回転式マッサージ器を用いることを特徴とする、請求項１に記載のマッサージ機能を有するゲーミングチェアの背もたれ。
【請求項５】
前記マッサージ器にマッサージヘッドが設けられており、内部にマッサージヘッドを回転駆動させるモータが設けられており、前記マッサージヘッドに第１押圧部と第２押圧部とが設けられており、前記第１押圧部と第２押圧部とがマッサージヘッドの両側に設けられ、異なる高さと大きさを有することを特徴とする、請求項４に記載のマッサージ機能を有するゲーミングチェアの背もたれ。
【請求項６】
前記マッサージ器に、モータの散熱を補助する散熱孔と、モータに給電する電源とが設けられていることを特徴とする、請求項５に記載のマッサージ機能を有するゲーミングチェアの背もたれ。
【考案の詳細な説明】
【技術分野】
【０００１】
本考案は、ｅスポーツ用シートの分野に関し、詳しくは、マッサージ機能を有するゲーミングチェアの背もたれに関する。
【背景技術】
【０００２】
ｅスポーツクッションはゲーミングチェアと略記される。なかでも、ｅスポーツとは、電子ゲームの試合が「競技」レベルに達したイベントである。ｅスポーツは電子設備を運動器具として用いて行う、人と人の間の知力で対抗するスポーツである。ユーザが操作体験しやすいように、ゲーミングチェアの設計が人間工学に合う。一部のゲームではユーザに高度に精力を傾けることと、長期間着座姿勢を保持することが要求されるので、ゲーミングチェアはユーザの快適性を確保することができる。
【０００３】
人が長期間着座姿勢を保持する場合、腰部の筋肉が固くなりやすく、マッサージにより緩め、快適性を向上する必要がある。従来技術において、一部のゲーミングチェアはマッサージ機能を有するが、そのマッサージ効果が悪い。そして、加熱効果を有することもできないので、マッサージ効果が劣る。
【考案の概要】
【０００４】
前記技術的課題を解決するために、本考案は、マッサージ機能を有するゲーミングチェアの背もたれを開示している。前記目的を実現するために、本考案は下記の技術的手段を用いている。
【０００５】
椅子の背もたれと、マッサージ器と、を備えるマッサージ機能を有するゲーミングチェアの背もたれであって、前記椅子の背もたれが、椅子の背もたれのフレームと、椅子の背もたれのフレームの表面に被覆される椅子カバーと、を備え、前記マッサージ器が椅子の背もたれのフレームに固定接続され、椅子カバーの内部に被覆されるマッサージ機能を有するゲーミングチェアの背もたれ。
【０００６】
改善としては、前記マッサージ器が、対応する腰部位置に設けられる。
【０００７】
改善としては、前記椅子の背もたれのフレームに、腰部位置に対応して横棒が設けられており、前記マッサージ器が横棒に設けられる。
【０００８】
改善としては、前記マッサージ器が回転式マッサージ器を用いる。
【０００９】
改善としては、前記マッサージ器にマッサージヘッドが設けられており、内部にマッサージヘッドを回転駆動させるモータが設けられており、前記マッサージヘッドに第１押圧部と第２押圧部とが設けられており、前記第１押圧部と第２押圧部とがマッサージヘッドの両側に設けられ、異なる高さと大きさを有する。
【００１０】
改善としては、前記マッサージ器に、モータの散熱を補助する散熱孔と、モータに給電する電源とが設けられている。
【００１１】
本考案は以下のメリットを有する。
【００１２】
本考案は、椅子カバーの内部にマッサージ器が設けられており、椅子カバーを介して背中をマッサージすることができる。本考案は、マッサージ効果が良く、快適性が高く、人の背中の緊張した筋肉を和らげ、ｅスポーツマンの競技状態を向上することができる。
【図面の簡単な説明】
【００１３】
【図１】実施例１中のマッサージ機能を有するゲーミングチェアの背もたれの構成図である。
【図２】実施例１中のマッサージ機能を有するゲーミングチェアの背もたれの内部構成図である。
【図３】実施例１中のマッサージ機能を有するゲーミングチェアの背もたれにおけるマッサージ器の構成図である
【考案を実施するための形態】
【００１４】
以下に具体的な実施例により本考案を詳しく説明し、本考案をより良く理解させるが、下記の実施例は本考案の保護範囲を制限するものではない。
【００１５】
実施例１
本実施例は、椅子の背もたれ１と、マッサージ器２と、を備えるマッサージ機能を有するゲーミングチェアの背もたれを開示している。
【００１６】
椅子の背もたれ１が、椅子の背もたれのフレーム１１と、椅子の背もたれのフレーム１１の表面に被覆される椅子カバー１２と、を備える。マッサージ器２が椅子の背もたれのフレーム１１に固定接続され、椅子カバー１２の内部に被覆される。椅子の背もたれのフレーム１１に、腰部位置に対応して横棒１３が設けられており、マッサージ器２が横棒１３に設けられる。
【００１７】
マッサージ器２が回転式マッサージ器を用いる。マッサージ器２にマッサージヘッド２１が設けられており、内部にマッサージヘッド２１を回転駆動させるモータが設けられている。マッサージヘッド２１に第１押圧部２２と第２押圧部２３とが設けられており、第１押圧部２２と第２押圧部２３とがマッサージヘッド２１の両側に設けられ、異なる高さと大きさを有する。マッサージ器２には、さらに、モータの散熱を補助する散熱孔２４と、モータに給電する電源２５とが設けられている。
【００１８】
本考案が作動する場合、モータはマッサージヘッド２１を回転駆動させる。第１押圧部２２と第２押圧部２３が、異なる高さと大きさを有するので、マッサージヘッド２１は腰部の筋肉を周期的に回転押圧することができる。また、モータと電源２５が発生した熱量は散熱孔２４を介して発散し、椅子カバー１２を介して腰背部の筋肉を温めることができ、ある程度温湿布をする役割を果たしている。
【００１９】
以上に本考案の具体的な実施例を詳しく説明したが、この説明は単なる例に過ぎず、本考案は以上に説明された具体的な実施例と同等であるものではない。当業者であれば、本考案に対して行われた等価な修正及び置換は、いずれも本考案の範囲にあることが判明している。このため、本考案の趣旨と範囲を逸脱することなく等価の変更及び修正を行い、これらの変更及び修正は全て本考案の範囲に含まれるべきである。
【符号の説明】
【００２０】
１    椅子の背もたれ
１１    椅子の背もたれのフレーム
１２    椅子カバー
１３    横棒
２    マッサージ器
２１    マッサージヘッド
２２    第１押圧部
２３    第２押圧部
２４    散熱孔
２５    電源
【図１】
0003232926.tif 000003
【図２】
0003232926.tif 000004
【図３】
0003232926.tif 000005